(57)【要約】【課題】平面四角枠状に胴石を配置し、この内側に配置される支持板を安価な短尺の石材で形成して、運搬や施工が容易で、しかも強度が高く、納骨堂内の結露を防止した墓構造を提供するものである。【解決手段】基礎１２の上に平面四角枠状に胴石１ａ〜１ｄを配置し、この胴石１ａ〜１ｄの内側の各コーナー部分を囲むように支持板１４、１４、１６、１７を取付けて、これらで囲まれた中央の空間部を納骨堂４とし、前記背面胴石１ｂと、左右胴石１ｃ、１ｄとの間に配置した筋交い状支持板１４、１４を斜めに取付けてトラス構造に連結し、筋交い状支持板１４と支持板１６の上部、および筋交い状支持板１４と支持板１７との上部に、左右の貼石１０、１０を間隔をおいてそれぞれ載せ、この間の前面胴石１ａ側の上部を覆うように拝石８を載せると共に、この拝石８の背面胴石１ｂ側の、左右の貼石１０、１０の間の上部を覆うように墓石９を載せたものである。【選択図】　　図１
2004124567.tif 000002
【特許請求の範囲】
【請求項１】
基礎の上に平面四角枠状に胴石を配置し、この胴石の内側の各コーナー部分を囲むように支持板を取付けて、この支持板で囲まれた中央の空間部を納骨堂とし、前記支持板の内、背面胴石と、左右胴石との間に配置した支持板を、筋交い状に斜めに取付けてトラス構造に連結し、前記支持板の内、前面胴石と左右胴石との間に配置した支持板と、前記筋交い状の左右の支持板との上部に、左右の貼石を間隔をおいてそれぞれ載せ、この左右の貼石の間の前面胴石側の上部を覆うように拝石を載せると共に、この拝石の背面胴石側の、左右の貼石の間の上部を覆うように墓石を載せたことを特徴とする墓構造。
【請求項２】
前面胴石と左右胴石との間に配置した支持板を、前面胴石の中間部の両側に間隔をおいてこれと垂直に配置した２個の前後方向支持板と、これらの後端と左右側壁との間に配置した左右方向支持板とで平面Ｌ形状に形成して、前面胴石側の両コーナー部分に四角形状のコーナー空間部を形成したことを特徴とする請求項１記載の墓構造。
【請求項３】
背面胴石と左右胴石との間に配置した支持板、および前面胴石と左右胴石との間に配置した支持板を、それぞれ筋交い状に斜めに取付けて、各コーナー部分をトラス構造に連結したことを特徴とする請求項１記載の墓構造。
【請求項４】
納骨堂の壁面を構成する左右胴石に、納骨堂に連通する通気孔を開孔したことを特徴とする請求項１、２または３記載の墓構造。
【発明の詳細な説明】
【０００１】
【発明の属する技術分野】
本発明は納骨堂の構造を改良した墓構造に関するものである。
【０００２】
【従来の技術】
一般に墓構造は、例えば図７に示すように、平面枠状に配置した胴石１ａ、１ｂ、１ｃ、１ｄの内側に、前面側から背面側に向かって２枚の支持板２ａ、２ｂを間隔をおいて平行に配置してコーナー部を連結金具３で連結し、前面胴石１ａと背面胴石１および左右の胴石１ｃ、１ｄとで囲まれた中央の空間部に納骨堂４が形成されている。また左右の胴石１ｃ、１ｄと納骨堂４の左右の支持板２ａ、２ｂとの間の部分には土７が充填されている。この納骨堂４の上部前側に拝石８を被せ、上部後ろ側に墓石９を載せる構造となっている。
【０００３】
しかしながらこの構造の墓は、支持板２ａ、２ｂと胴石１ａ〜１ｄとの間に土７が充填されているので、土７に雨水や雪融け水がしみ込んで、石材で形成された胴石１ａ〜１ｄや支持板２ａ、２ｂが吸水する。このため胴石１ａ〜１ｄが汚れて変色し、外観が損なわれ、また連結金具３が水分により腐食する問題がある。更に石材に吸収された水分や、石材と連結金具３との間の隙間に侵入した水分が冬期間に凍結して膨張し、石が割れる問題があった。また土７が表面に露出していることから草が生えるため、草刈りしなければならなかった。
【０００４】
このため図８および図９に示すように、胴石１ａ〜１ｄで囲まれた外柵の内側を全て密閉した空間に形成した墓石構造が開発されている（特公平８ー６５０５）。つまり左右の胴石１ｃ、１ｄと納骨堂４の左右の支持板２ａ、２ｂとの間に空間部６ａ、６ｂを形成し、この上に貼石１０、１０を載せて内部が密閉された空間部を形成し、納骨堂４の上に拝石８と墓石９を載せたものである。
【０００５】
このように密閉した空間部６ａ、６ｂを形成することにより、この内部に雨水や雪融け水などが入り込むことがなく、胴石１ａ〜１ｄの汚れや、変色がなく、水の凍結による、割れや変形を防止することができるというものである。
【０００６】
しかしながらこの構造では、胴石１ａ〜１ｄと支持板２ａ、２ｂを縦横に組合せて枠状に構成されているため、内側に配置される支持板２ａ、２ｂの長さにバラツキがあると、平行を出すためにその調整が面倒であり、また接合部分が直交しているため、地盤の移動や地震など横方向からの力により変形する恐れがある。また支持板２ａ、２ｂは左右の胴石１ｃ、１ｄと同様に長尺であるので、その運搬や、施工時の取扱が面倒で作業性が悪く、価格も高くなる問題があった。また納骨堂４の両側に密閉した空間部６ａ、６ｂが形成されているため、空間部６ａ、６ｂ内に結露が生じて、大量の水が溜り、納骨堂４の内部まで水びたしになる問題が発生している。
【０００７】
【発明が解決しようとする課題】
本発明は上記問題を改善し、平面四角枠状に胴石を配置し、この内側に配置される支持板を安価な短尺の石材で形成して、運搬や施工が容易で、しかも強度が高く、納骨堂内の結露を防止した墓構造を提供するものである。
【０００８】
【課題を解決するための手段】
本発明の請求項１記載の墓構造は、基礎の上に平面四角枠状に胴石を配置し、この胴石の内側の各コーナー部分を囲むように支持板を取付けて、この支持板で囲まれた中央の空間部を納骨堂とし、前記支持板の内、背面胴石と、左右胴石との間に配置した支持板を、筋交い状に斜めに取付けてトラス構造に連結し、前記支持板の内、前面胴石と左右胴石との間に配置した支持板と、前記筋交い状の左右の支持板との上部に、左右の貼石を間隔をおいてそれぞれ載せ、この左右の貼石の間の前面胴石側の上部を覆うように拝石を載せると共に、この拝石の背面胴石側の、左右の貼石の間の上部を覆うように墓石を載せたことを特徴とするものである。
【０００９】
本発明の請求項２記載の墓構造は、前面胴石と左右胴石との間に配置した支持板を、前面胴石の中間部の両側に間隔をおいてこれと垂直に配置した２個の前後方向支持板と、これらの後端と左右側壁との間に配置した左右方向支持板とで平面Ｌ形状に形成して、前面胴石側の両コーナー部分に四角形状のコーナー空間部を形成したことを特徴とするものである。
【００１０】
また請求項３記載の墓構造は、背面胴石と左右胴石との間に配置した支持板、および前面胴石と左右胴石との間に配置した支持板を、それぞれ筋交い状に斜めに取付けて、各コーナー部分をトラス構造に連結したことを特徴とするものである。更に請求項４記載の墓構造は、納骨堂の壁面を構成する左右胴石に、納骨堂に連通する通気孔を開孔したことを特徴とするものである。
【００１１】
【発明の実施の形態】
以下本発明の実施の一形態を図１ないし図５を参照して詳細に説明する。図２に示すようにコンクリート基礎１２の上に、前面胴石１ａと背面胴石１ｂ、左胴石１ｃ、右胴石１ｄを図１に示すように四角枠状に配置して、各コーナー部分を連結金具３で連結して固定する。
【００１２】
この背面胴石１ｂの内側中間部分に、これに重ねて背面側支持板１３が取付けられ、この両側と、左右胴石１ｃ、１ｄとの間に、両端面を傾斜させ背面側支持板１３より高さが低い、筋交い状支持板１４、１４を斜めに取付けて接着剤で固定し、三角形状コーナー空間部２０、２０が形成されている。
【００１３】
また前面胴石１ａと左右胴石１ｃ、１ｄとの間には支持板１６、１７が配置されている。この支持板１６、１７は、前面胴石１ａの中間部に間隔をおいてこれと垂直に配置され前後方向支持板１６ａ、１７ａと、これらの後端と左右胴石１ｃ、１ｄとの間に配置され、前後方向支持板１６ａ、１７ａより高さが低い左右方向支持板１６ｂ、１７ｂとで平面Ｌ形状に形成にされ、両コーナー部分に四角形状のコーナー空間部２１、２１が形成されている。
【００１４】
この四角形状のコーナー空間部２１、２１を形成する支持板１６、１７と、三角形状コーナー空間部２０、２０を形成する前記筋交い状支持板１４、１４とで囲まれた空間部に、納骨堂４が形成されている。なお左右胴石１ｃ、１ｄには虫よけ網を取付けた通気孔２２が開孔されている。
【００１５】
また前面の胴石１ａの下には踏み板２４が敷かれ、この左右に親柱１６、１６が配置されている。このように組み立てた外柵の胴石１ｃ、１ｄの上に、図３および図４に示すように袖石２６、２６を載せ、更に胴石１ｂの上に屏風２７、２７と塔婆立て２８を載せる。
【００１６】
この後、図４に示すように、支持板１７と左右方向支持板１６ｂの上に貼石１０を載せ、また支持板１７と左右方向支持板１７ｂの上に貼石１０を載せ、胴石１ａ〜１ｄとの接合面を接着剤やシーリング剤で密閉する。次に間隔をおいて取付けた貼石１０、１０の間の前面胴石１ａ側の上部、即ち納骨堂４の上部前方に図５に示すように拝石８を載せ、この後ろの納骨堂４の上部後方に、墓石９の下部を構成する芝台９ａを載せる。更にこの芝台９ａの上に、中台９ｂ、上台９ｃ、棹石９ｄを重ねて墓石９を形成する。また拝石８と芝台９ａの上に、収納容器３０と花立て３１を設置して完成する。
【００１７】
上記構成の墓構造は、胴石１ａ〜１ｄで形成された外柵の内側に、短尺の支持板１３〜１７を組合せた納骨堂４を構成したので、運搬が容易で、また支持板１３〜１７に多少の寸法誤差があっても、前面胴石１ａと背面胴石１ｂとの間隔に関係なく施工できるので、図８に示す従来構造に比べて施工性を大幅に向上させることができる。
【００１８】
また背面胴石１ｂと左右胴石１ｃ、１ｄとの間は筋交い状の支持板１４、１４でトラス構造に連結されているので、従来の直交した組み合わせ構造に比べて接合強度が高く、地盤の移動や地震など横方向からの力による変形を防止することができる。また納骨堂４の内部空間面積が、従来の構造に比べて大きく取れるので、多数の遺骨を納めることができる。また納骨堂４の壁面を構成する左右胴石１ｃ、１ｄに通気孔２２が開孔されているので、通気性が良く内部を乾燥した状態に維持することができる。
【００１９】
図６は本発明の他の実施の形態を示すもので、コンクリート基礎１２の上に、胴石１ａ〜１ｄを四角枠状に配置して、各コーナー部分を連結金具３で連結して固定する。この胴石１ａの内側中間部分に、これに重ねて背面側支持板１３が取付けられ、この両側と、左右胴石１ｃ、１ｄとの間に、両端面を傾斜させ、背面側支持板１３より高さが低い、筋交い状支持板１４、１４を斜めに取付けて接着剤で固定し、三角形状コーナー空間部２０、２０が形成されている。
【００２０】
同様に前面胴石１ａの内側にも、内側中間部分に間隔をおいて、前面胴石１ａと左右胴石１ｃ、１ｄとの間に、両端面を傾斜させた筋交い状支持板１４、１４を斜めに取付けて接着剤で固定し、三角形状コーナー空間部２０、２０が形成されている。更に、納骨堂４の内部に墓石９を支持する束石３３が設置されている。
【００２１】
この構造では、４つの各コーナー部がトラス構造に連結されているので接合強度が高く、長期間に亘って変形を防止することができる。更に、筋交い状支持板１４は両端が斜めに傾斜しているので、胴石内面に傾斜面を押し付けるだけで設置できるので施工性が優れている。
【００２２】
【発明の効果】
以上説明した如く本発明に係る請求項１記載の墓構造によれば、背面胴石と、左右胴石との間に配置した支持板を、筋交い状に斜めに取付けてトラス構造に連結しているので、従来の直交して組み合わせた構造に比べて接合強度が高く、地盤の移動や地震など横方向からの力による変形を防止することができる。また納骨堂の内部空間面積が、従来構造に比べて大きく取れるので、多数納骨することもできる。
【００２３】
また請求項２記載の墓構造によれば、前面胴石と左右胴石との間に配置した支持板を、前面胴石の中間部の両側に間隔をおいてこれと垂直に配置した２個の前後方向支持板と、これらの後端と左右側壁との間に配置した左右方向支持板とで平面Ｌ形状に形成して、前面胴石側の両コーナー部分に四角形状のコーナー空間部を形成したので、短尺の支持板を組合せて形成でき、運搬が容易で、しかも支持板に多少の寸法誤差があっても組み立てられ、施工性を大幅に向上させることができる。
【００２４】
また請求項３記載の墓構造によれば、背面胴石と左右胴石との間に配置した支持板、および前面胴石と左右胴石との間に配置した支持板を、それぞれ筋交い状に斜めに取付けて、各コーナー部分をトラス構造に連結したので、更に強度を向上させることができる。
【００２５】
また請求項４記載の墓構造によれば、納骨堂の壁面を構成する左右胴石に、納骨堂に連通する通気孔を開孔したので、太陽により納骨堂内の空気が加熱されて膨張すると外部に排出され、気温が下がってくると温度の低い空気が侵入して換気されるので、納骨堂内の空気の温度上昇が抑えられ、夜間、外気温が低下しても温度差が少なく、結露を防止することができる。
【図面の簡単な説明】
【図１】本発明の実施の一形態による墓構造の平面図である。
【図２】図１に示す墓構造の中央縦断側面図である。
【図３】外柵を組み立てた状態を示す墓構造の斜視図である。
【図４】図３の墓構造に貼石を載せた状態を示す斜視図である。
【図５】本発明の墓構造を示す縦断側面図である。
【図６】本発明の他の実施の形態による墓構造の平面図である。
【図７】従来の土を詰めた墓構造を示す平面図である。
【図８】従来の空間部を形成した墓構造を示す平面図である。
【図９】図８に示す墓構造を示す縦断側面図である。
【符号の説明】
１ａ〜１ｄ胴石
２ａ　　　　支持板
３　　　　　　連結金具
４　　　　　　納骨堂
６ａ　　　空間部
７　　　　　　土
８　　　　　　拝石
９　　　　　　墓石
１０　　　　貼石
１２　　　　基礎
１３　　　　背面側支持板
１４　　　　筋交い状支持板
１６　　　　支持板
１６ａ　　前後方向支持板
１６ｂ　　左右方向支持板
１７　　　　支持板
２０　　　　三角形状コーナー空間部
２１　　　　四角形状コーナー空間部
２２　　　　通気孔
２５　　　　親柱
２８　　　　塔婆立て
３３　　　　束石
【図１】
2004124567.tif 000003
【図２】
2004124567.tif 000004
【図３】
2004124567.tif 000005
【図４】
2004124567.tif 000006
【図５】
2004124567.tif 000007
【図６】
2004124567.tif 000008
【図７】
2004124567.tif 000009
【図８】
2004124567.tif 000010
【図９】
2004124567.tif 000011